(57)【特許請求の範囲】
【請求項１】
既存の通信装置から新規の通信装置に対して、既存の通信装置の通信設定情報と、当該既存の通信装置が過去に接続した端末装置の固有識別情報とを含む引継情報とを送信することにより引継処理を実行する通信システムであって、
前記既存の通信装置は、
前記引継処理後に新たに通信を実行する場合に、周辺の端末装置より固有識別情報を取得するとともに、当該取得した固有識別情報と、前記引継処理前に接続した端末装置の固有識別情報とを比較し、比較の結果、固有識別情報が一致する端末装置との通信を制限し、
前記新規の通信装置は、
前記引継処理後に新たに通信を実行する場合に、周辺の端末装置より固有識別情報を取得するとともに、当該取得した固有識別情報と、前記引継情報に含まれる固有識別情報とを比較し、比較の結果、固有識別情報が一致する端末装置との通信については、制限することなく、実行する通信システム。
【請求項２】
前記新規の通信装置は、
前記比較の結果が不一致である固有識別情報を保有する端末装置との間の通信を、引継情報に含まれる通信設定情報とは別の通信設定情報に基づいて確立する、
請求項１に記載の通信システム。
【請求項３】
前記既存の通信装置及び前記新規の通信装置は、ユーザの入力に応じて、前記引継処理の実行を開始する、請求項１又は２記載の通信システム。
【請求項４】
前記新規の通信装置は、前記既存の通信装置から引継情報を受信し、所定の記憶手段に対する格納処理が完了したことに応じて、前記引継処理を終了し、前記端末装置との通信が可能な状態に移行する、請求項１〜３いずれかに記載の通信システム。
【請求項５】
他の通信装置との間で引継処理を実行可能な通信装置であって、
前記引継処理によって他の通信装置に対して、自身の通信設定情報と、自身が過去に接続した端末装置の固有識別情報とを含む引継情報とを送信することにより、引継処理を実行した場合には、その引継処理後に新たに通信を実行する場合に、周辺の端末装置より固有識別情報を取得するとともに、当該取得した固有識別情報と、前記引継処理前に接続した端末装置の固有識別情報とを比較し、比較の結果、固有識別情報が一致する端末装置との通信を制限し、
前記引継処理によって、他の通信装置から他の通信装置の通信設定情報と、他の通信装置が過去に接続した端末装置の固有識別情報とを含む引継情報とを受信することにより、引継処理を実行した場合には、その引継処理後に新たに通信を実行する場合に、周辺の端末装置より固有識別情報を取得するとともに、当該取得した固有識別情報と、前記引継情報に含まれる固有識別情報とを比較し、比較の結果、固有識別情報が一致する端末装置との通信については、制限することなく、実行する通信装置。
【請求項６】
前記引継処理によって、他の通信装置から他の通信装置の通信設定情報と、他の通信装置が過去に接続した端末装置の固有識別情報とを含む引継情報とを受信することにより、引継処理を実行した場合に、前記比較の結果が不一致である固有識別情報を保有する端末装置との間の通信を、引継情報に含まれる通信設定情報とは別の通信設定情報に基づいて確立する、
請求項５に記載の通信装置。
【請求項７】
前記通信装置は、ユーザの入力に応じて、前記引継処理の実行を開始する、請求項５又は６記載の通信装置。
【請求項８】
前記通信装置は、前記他の通信装置から引継情報を受信し、所定の記憶手段に対する格納処理が完了したことに応じて、前記引継処理を終了し、前記端末装置との通信が可能な状態に移行する、請求項５〜７いずれかに記載の通信装置。
【請求項９】
既存の通信装置から新規の通信装置に対して、既存の通信装置の通信設定情報と、当該既存の通信装置が過去に接続した端末装置の固有識別情報とを含む引継情報とを送信することにより引継処理を実行する通信方法であって、
前記既存の通信装置は、
前記引継処理後に新たに通信を実行する場合に、周辺の端末装置より固有識別情報を取得するステップと、
当該取得した固有識別情報と、前記引継処理前に接続した端末装置の固有識別情報とを比較するステップと、
比較の結果、固有識別情報が一致する端末装置との通信を制限するステップとを実行し、
前記新規の通信装置は、
前記引継処理後に新たに通信を実行する場合に、周辺の端末装置より固有識別情報を取得するステップと、
当該取得した固有識別情報と、前記引継情報に含まれる固有識別情報とを比較するステップと、
比較の結果、固有識別情報が一致する端末装置との通信については、制限することなく、実行するステップとを実行する通信方法。
【請求項１０】
前記新規の通信装置は、
前記比較の結果が不一致である固有識別情報を保有する端末装置との間の通信を、引継情報に含まれる通信設定情報とは別の通信設定情報に基づいて確立する、
請求項９に記載の通信方法。
【発明の詳細な説明】
【技術分野】
【０００１】
本発明は、通信システム、通信装置及び通信方法に関するものであり、特に、通信装置の置き換えの際に、通信を引き継ぎ可能な通信システム、通信装置及び通信方法に関する。
【背景技術】
【０００２】
無線ＬＡＮ（Local Area Network）アクセスポイントとパーソナルコンピュータ、スマートフォンなどの無線ＬＡＮ機能を有する無線ＬＡＮ端末との間で通信を確立するためには、無線ＬＡＮアクセスポイントが有するＳＳＩＤ(Service Set Identifier)、暗号化キーなどの通信設定情報を無線ＬＡＮ端末が取得する必要がある。
【０００３】
ここで、既存の無線ＬＡＮアクセスポイントから新規の無線ＬＡＮアクセスポイントに置き換えをする場合、例えば、ユーザが無線ＬＡＮ端末を操作して、新規の無線ＬＡＮアクセスポイントの通信設定情報を取得する方法がある。この方法は、ユーザにとっては手間のかかる方法である。
【０００４】
特許文献１には、無線接続装置の置き換えの際、既存の無線接続装置から新規の無線接続装置に無線設定情報を送信して引き継ぐことが開示されている。特許文献２には、無線ＬＡＮアクセスポイント装置間で無線通信に関する無線設定内容の複製（コピー）をすることが可能な無線ＬＡＮアクセスポイント装置が開示されている。
【０００５】
特許文献３には、複数のＳＳＩＤを有するアクセスポイントが存在する場合、携帯端末装置が記憶する所定のＢＳＳＩＤ（基本サービスセット識別子）が示すアクセスポイントとは接続しないことが開示されている。
【０００６】
特許文献４には、障害が発生した現用系計算機の固有識別情報と待機系計算機の固有識別情報とを入れ替え、待機系計算機をブートする方法が開示されている。
【０００７】
特許文献５には、無線ＬＡＮ端末が、特定データフレームを無線ＬＡＮアクセスポイントから受信した場合に、この無線ＬＡＮアクセスポイントにローミングを行うことが開示されている。特許文献６には、無線ＬＡＮアクセスポイント側で無線パラメータが変更された際、無線ＬＡＮ端末側で容易にこの変更された無線パラメータに追従することが開示されている。
【先行技術文献】
【特許文献】
【０００８】
【特許文献１】特開２０１５−１１９３１４号公報
【特許文献２】特開２０１３−１１５５３９号公報
【特許文献３】特開２０１１−０４９７０１号公報
【特許文献４】特開２０１１−０１８２５４号公報
【特許文献５】特開２００６−１５７３８８号公報
【特許文献６】特開２０１１−２１１６１２号公報
【発明の概要】
【発明が解決しようとする課題】
【０００９】
既存の無線ＬＡＮアクセスポイントから新規の無線ＬＡＮアクセスポイントに置き換えをする場合、新規の無線ＬＡＮアクセスポイントに既存の無線ＬＡＮアクセスポイントの設定情報をコピーする必要がある。しかしながら、コピーを行うと、同じ無線設定情報を有する無線ＬＡＮアクセスポイントが複数存在することになる。これにより、無線ＬＡＮ端末は、新規又は既存のどちらの無線ＬＡＮアクセスポイントにも接続可能となってしまうという通信の不具合が発生し、所望のネットワークを構成することができず、通信をすることが難しいという課題があった。そして、特許文献１〜６のいずれにも、無線ＬＡＮアクセスポイントの置き換えの際、通信の不具合を発生させることなく、所望のネットワークを構成して通信を引き継ぐことは開示されていない。
【００１０】
本発明は、このような課題を解決するためになされたものであり、例えば、アクセスポイント等の通信装置の置き換えの際、通信の不具合を発生させることなく通信を引き継ぎ可能な通信システム、通信装置及び通信方法を提供することを目的とする。
【課題を解決するための手段】
【００１１】
本発明に係る通信システムは、既存の通信装置から新規の通信装置に対して、既存の通信装置の通信設定情報と、当該既存の通信装置が過去に接続した端末装置の固有識別情報とを含む引継情報とを送信することにより引継処理を実行する通信システムである。前記既存の通信装置は、前記引継処理後に新たに通信を実行する場合に、周辺の端末装置より固有識別情報を取得するとともに、当該取得した固有識別情報と、前記引継処理前に接続した端末装置の固有識別情報とを比較し、比較の結果、固有識別情報が一致する端末装置との通信を制限する。前記新規の通信装置は、前記引継処理後に新たに通信を実行する場合に、周辺の端末装置より固有識別情報を取得するとともに、当該取得した固有識別情報と、前記引継情報に含まれる固有識別情報とを比較し、比較の結果、固有識別情報が一致する端末装置との通信については、制限することなく、実行する。
【００１２】
本発明に係る通信装置は、他の通信装置との間で引継処理を実行可能な通信装置である。前記引継処理によって他の通信装置に対して、自身の通信設定情報と、自身が過去に接続した端末装置の固有識別情報とを含む引継情報とを送信することにより、引継処理を実行した場合には、その引継処理後に新たに通信を実行する場合に、周辺の端末装置より固有識別情報を取得するとともに、当該取得した固有識別情報と、前記引継処理前に接続した端末装置の固有識別情報とを比較し、比較の結果、固有識別情報が一致する端末装置との通信を制限する。前記引継処理によって、他の通信装置から他の通信装置の通信設定情報と、他の通信装置が過去に接続した端末装置の固有識別情報とを含む引継情報とを受信することにより、引継処理を実行した場合には、その引継処理後に新たに通信を実行する場合に、周辺の端末装置より固有識別情報を取得するとともに、当該取得した固有識別情報と、前記引継情報に含まれる固有識別情報とを比較し、比較の結果、固有識別情報が一致する端末装置との通信については、制限することなく、実行する。
【００１３】
本発明に係る通信方法は、既存の通信装置から新規の通信装置に対して、既存の通信装置の通信設定情報と、当該既存の通信装置が過去に接続した端末装置の固有識別情報とを含む引継情報とを送信することにより引継処理を実行する通信方法である。前記既存の通信装置は、前記引継処理後に新たに通信を実行する場合に、周辺の端末装置より固有識別情報を取得するステップと、当該取得した固有識別情報と、前記引継処理前に接続した端末装置の固有識別情報とを比較するステップと、比較の結果、固有識別情報が一致する端末装置との通信を制限するステップとを実行する。前記新規の通信装置は、前記引継処理後に新たに通信を実行する場合に、周辺の端末装置より固有識別情報を取得するステップと、当該取得した固有識別情報と、前記引継情報に含まれる固有識別情報とを比較するステップと、比較の結果、固有識別情報が一致する端末装置との通信については、制限することなく、実行するステップとを実行する。
【発明の効果】
【００１４】
本発明によれば、例えば、アクセスポイント等の通信装置の置き換えの際、通信を引き継ぎ可能な通信システム、通信装置及び通信方法を提供することができる。
【図面の簡単な説明】
【００１５】
【図１】実施の形態１にかかる通信システムを例示するブロック図である。
【図２】（Ａ）は、実施の形態２にかかる無線ＬＡＮアクセスポイントを例示するブロック図である。（Ｂ）は、通信設定情報記憶部を例示するブロック図である。
【図３】（Ａ）は、無線ＬＡＮアクセスポイントと無線ＬＡＮ端末との接続をパッシブスキャン方式で確立する場合の手順を例示するシーケンス図である。（Ｂ）は、無線ＬＡＮアクセスポイントと無線ＬＡＮ端末との接続をアクティブスキャン方式で確立する場合の手順を例示するシーケンス図である。
【図４】実施の形態２にかかる無線ＬＡＮアクセスポイントの引継方法を例示するシーケンス図である。
【図５】実施の形態２にかかる無線ＬＡＮアクセスポイントと端末のパッシブスキャン方式での接続確立の手順を例示するシーケンス図である。
【図６】実施の形態２にかかる無線ＬＡＮアクセスポイントと端末のアクティブスキャン方式での接続確立の手順を例示するシーケンス図である。
【図７】実施の形態３にかかる通信システムを例示するブロック図である。
【図８】実施の形態４にかかる無線ＬＡＮアクセスポイントの引継方法を例示するシーケンス図である。
【発明を実施するための形態】
【００１６】
［実施の形態１］
以下、図面を参照して本発明の実施の形態について説明する。
【００１７】
図１は、実施の形態１にかかる通信システムを例示するブロック図である。
【００１８】
図１に示すように、実施の形態１にかかる通信システムにおいては、既存の無線ＬＡＮアクセスポイントである第１無線ＬＡＮアクセスポイント１００と、新規の無線ＬＡＮアクセスポイントである第２無線ＬＡＮアクセスポイント２００と、端末８１〜８３が設けられる。
【００１９】
第１無線ＬＡＮアクセスポイント（既存の無線ＬＡＮアクセスポイント）１００は、通信設定情報Ｊ１と第１無線ＬＡＮアクセスポイント１００に帰属している端末を特定するための固有識別情報Ｉｄ１を保有する。通信設定情報Ｊ１は、第１無線ＬＡＮアクセスポイント１００と端末８１が通信を行っていたときの通信を行うための情報である。
【００２０】
端末８１〜８３は、第１無線ＬＡＮアクセスポイント１００と過去に通信接続を確立していた端末である。
【００２１】
第２無線ＬＡＮアクセスポイント（新規の無線ＬＡＮアクセスポイント）２００は、通信設定情報Ｊ１とは別の通信設定情報Ｊ２を保有する。第２無線ＬＡＮアクセスポイント２００は、固有識別情報Ｉｄ１と固有識別情報Ｉｄ２とを保有可能であるものとする。固有識別情報Ｉｄ２は、第２無線ＬＡＮアクセスポイント２００と帰属した端末を特定するための情報である。
【００２２】
通信設定情報Ｊ１と端末の固有識別情報Ｉｄ１は、第２無線ＬＡＮアクセスポイント２００に引き継がれる。具体的には、第１無線ＬＡＮアクセスポイント１００から第２無線ＬＡＮアクセスポイント２００に対して、第１無線ＬＡＮアクセスポイント１００の保有する通信設定情報Ｊ１と、第１無線ＬＡＮアクセスポイント１００が過去に接続した端末の固有識別情報Ｉｄ１とを含む引継情報とを送信する。そして、第２無線ＬＡＮアクセスポイント２００は、これらの情報、すなわち通信設定情報Ｊ１と端末の固有識別情報Ｉｄ１を記憶または保存する。このようにして引継処理を行う。
【００２３】
この引継処理の際、関連技術にかかる引継方法では、第１無線ＬＡＮアクセスポイント１００が保有する通信設定情報Ｊ１のみを第２無線ＬＡＮアクセスポイント２００に引き継いだ。このため、第１無線ＬＡＮアクセスポイント１００と第２無線ＬＡＮアクセスポイント２００が同じ通信設定情報Ｊ１を保有することになり、端末８１〜８３は、どちらの無線ＬＡＮアクセスポイントにも接続する可能性があった。
【００２４】
そこで、実施の形態１においては、通信設定情報Ｊ１と共に、端末の固有識別情報Ｉｄ１も引き継ぐ。これにより、端末が、第１無線ＬＡＮアクセスポイント１００に接続していた端末であるかどうかを識別することができる。これにより、第１無線ＬＡＮアクセスポイント１００に接続していた端末のみを、第２無線ＬＡＮアクセスポイント２００に接続することが可能となる。
【００２５】
具体的には、第１無線ＬＡＮアクセスポイント１００は、引継処理後に新たに通信を実行する場合に、周辺の端末装置より固有識別情報Ｉｄ２を取得するとともに、この取得した固有識別情報Ｉｄ２と、引継処理前に接続した端末装置の固有識別情報Ｉｄ１とを比較する。第１無線ＬＡＮアクセスポイント１００は、比較の結果、固有識別情報が一致する端末装置との通信を制限する。
【００２６】
一方、第２無線ＬＡＮアクセスポイント２００は、引継処理後に新たに通信を実行する場合に、周辺の端末装置より固有識別情報Ｉｄ２を取得するとともに、取得した固有識別情報Ｉｄ２と、引継情報に含まれる固有識別情報Ｉｄ１とを比較する。第２無線ＬＡＮアクセスポイント２００は、比較の結果、固有識別情報が一致する端末装置との通信については、制限することなく、実行する。
【００２７】
このようにして、第１無線ＬＡＮアクセスポイント１００が過去に接続していた端末のみを、第２無線ＬＡＮアクセスポイント２００に接続させることが可能となる。
【００２８】
なお、第１無線ＬＡＮアクセスポイント１００及び第２無線ＬＡＮアクセスポイント２００は、例えば、ユーザの入力に応じて、引継処理の実行を開始してもよい。
【００２９】
また、第２無線ＬＡＮアクセスポイント２００は、第１無線ＬＡＮアクセスポイント１００から引継情報を受信し、所定の記憶手段に対する格納処理が完了したことに応じて、引継処理を終了し、端末との通信が可能な状態に移行してもよい。
【００３０】
［実施の形態２］  
図２（Ａ）は、実施の形態２にかかる無線ＬＡＮアクセスポイントを例示するブロック図である。  
図２（Ｂ）は、通信設定情報記憶部を例示するブロック図である。
【００３１】
図２（Ａ）に示すように、第２無線ＬＡＮアクセスポイント２００は、無線ＬＡＮインターフェース部２０１と、制御部２０２と、記憶部２０５とを有する。第２無線ＬＡＮアクセスポイント２００は、既存の無線ＬＡＮアクセスポイント（第１無線ＬＡＮアクセスポイント）１００との間で引継処理を実行可能な無線ＬＡＮアクセスポイントである。この例では、第１無線ＬＡＮアクセスポイント１００から第２無線ＬＡＮアクセスポイント２００に引継を行う場合について説明する。なお、第２無線ＬＡＮアクセスポイント２００は、第１無線ＬＡＮアクセスポイント１００と同様な構成であるので、第２無線ＬＡＮアクセスポイント２００から第１無線ＬＡＮアクセスポイント１００に引継を行うこともできる。
【００３２】
無線ＬＡＮインターフェース部２０１は、端末又は既存の無線ＬＡＮアクセスポイント１００との間で通信を行うため、無線ＬＡＮの物理的なインターフェースを実現する。
【００３３】
制御部２０２は、アクセスポイントモードＡｐとクライアントモードＣｍとを切り替える。アクセスポイントモードＡｐは、通常のアクセスポイントとして動作するモードであり、端末と通信を行い端末からの情報を取得したり端末へ情報を送信することができるモ−ドである。クライアントモードＣｍは、自身（第２無線ＬＡＮアクセスポイント２００）と、既存の無線ＬＡＮアクセスポイント１００との通信を行うためのモードである。
【００３４】
記憶部２０５は、通信設定情報記憶部２０５ａと、固有識別情報記憶部２０５ｂとを有する。通信の接続を確立するための設定である通信設定情報は、通信設定情報記憶部２０５ａに記憶される。無線ＬＡＮ端末を識別するための設定である固有識別情報は、固有識別情報記憶部２０５ｂに記憶される。
【００３５】
図２（Ｂ）に示すように、通信設定情報記憶部２０５ａは、第１通信設定情報記憶部２０５ａ１と第２通信設定情報記憶部２０５ａ２とを有する。初期の段階で予め保有している通信設定情報Ｊ２は、第２通信設定情報記憶部２０５ａ２に記憶される。既存の無線ＬＡＮアクセスポイント１００から引継処理によって引き継いだ通信設定情報Ｊ１は、第１通信設定情報記憶部２０５ａ１に記憶される。
【００３６】
既存の無線ＬＡＮアクセスポイント１００が保有し、既存の無線ＬＡＮアクセスポイント１００と端末との通信の接続を確立するための設定である通信設定情報Ｊ１は、既存の無線ＬＡＮアクセスポイント１００から第２無線ＬＡＮアクセスポイント２００に伝送される。そして、通信設定情報Ｊ１は、クライアントモードＣｍで取得され、通信設定情報記憶部２０５ａに記憶される。
【００３７】
また、既存の無線ＬＡＮアクセスポイント１００に接続したことのある端末の固有識別情報Ｉｄ１は、既存の無線ＬＡＮアクセスポイント１００から伝達され、クライアントモードＣｍで取得される。固有識別情報Ｉｄ１は、固有識別情報記憶部２０５ｂに記憶される。
【００３８】
また、第２無線ＬＡＮアクセスポイント２００がアクセスポイントモードＡｐで端末から取得した端末の固有識別情報Ｉｄ２は、固有識別情報記憶部２０５ｂに記憶される。
【００３９】
制御部２０２は、既存の無線ＬＡＮアクセスポイント１００に接続したことのある端末の固有識別情報Ｉｄ１と、端末から取得した端末の固有識別情報Ｉｄ２と、が一致しているかを判定する。そして、判定が一致した場合、固有識別情報Ｉｄ１を保有する端末との間の通信を通信設定情報Ｊ１に基づいて確立する。
【００４０】
なお、通信設定情報Ｊは、無線ＬＡＮアクセスポイントと端末との通信を行うための設定情報であり、例えば、無線ＬＡＮアクセスポイントの識別子であるＳＳＩＤ(Service Set Identifier)、認証方式／暗号化方式、及び暗号化キー等の情報を含む。
【００４１】
また、例えば、固有識別情報Ｉｄ１や固有識別情報Ｉｄ２などの固有識別情報Ｉｄは、無線ＬＡＮアクセスポイントと接続していた端末を識別するための情報、例えば、端末のＭＡＣ(Media Access Control)アドレスを含む。
【００４２】
引継先の第２無線ＬＡＮアクセスポイント２００と、引継元の第１無線ＬＡＮアクセスポイント１００のそれぞれの動作概要をまとめると以下のようになる。
【００４３】
引継先の第２無線ＬＡＮアクセスポイント２００は、引継処理によって、第１無線ＬＡＮアクセスポイント１００から第１無線ＬＡＮアクセスポイント１００が保有する通信設定情報Ｊ１と、第１無線ＬＡＮアクセスポイント１００が過去に接続した端末装置の固有識別情報Ｉｄ１とを含む引継情報とを受信する。これにより、引継処理を実行した場合には、第２無線ＬＡＮアクセスポイント２００は、その引継処理後に新たに通信を実行する場合に、周辺の端末装置より固有識別情報Ｉｄ２を取得する。そして、取得した固有識別情報Ｉｄ２と、引継情報に含まれる固有識別情報Ｉｄ１とを比較する。第２無線ＬＡＮアクセスポイント２００は、比較の結果、固有識別情報が一致する端末装置との通信については、制限することなく、通信を実行する。
【００４４】
一方、引継元の第１無線ＬＡＮアクセスポイント１００は、引継処理によって第２無線ＬＡＮアクセスポイント２００に対して、自身（第１無線ＬＡＮアクセスポイント１００）の通信設定情報Ｊ１と、自身が過去に接続した端末の固有識別情報Ｉｄ１とを含む引継情報とを送信する。これにより、引継処理を実行した場合には、その引継処理後に新たに通信を実行する場合に、周辺の端末装置より固有識別情報Ｉｄ２を取得する。そして、取得した固有識別情報Ｉｄ２と、引継処理前に接続した端末装置の固有識別情報Ｉｄ１とを比較する。この比較の結果、固有識別情報が一致する端末装置との通信を制限する。
【００４５】
次に、実施の形態２の詳細な動作を説明する。先ず、無線ＬＡＮアクセスポイントと無線ＬＡＮ端末の接続を確立する手順について、ＩＥＥＥ（The Institute of Electrical and Electronics Engineers, Inc）８０２．１１で規格化されている方法を説明する。
【００４６】
無線ＬＡＮアクセスポイントと無線ＬＡＮ端末の接続方法は、パッシブスキャン方式とアクティブスキャン方式の２つの方式が規格化されている。  
図３（Ａ）は、無線ＬＡＮアクセスポイントと無線ＬＡＮ端末との接続をパッシブスキャン方式で確立する場合の手順を例示するシーケンス図である。
【００４７】
図３（Ａ）に示すように、パッシブスキャン方式では、無線ＬＡＮアクセスポイントからＢｅａｃｏｎと呼ばれるブロードキャスト信号が定期的に送信されている（Ｓ３００）。このＢｅａｃｏｎは、無線ＬＡＮアクセスポイントの識別子であるＳＳＩＤを含んでいる。
【００４８】
次に、無線ＬＡＮ端末は、Ｂｅａｃｏｎを受信すると、Ｂｅａｃｏｎに含まれているＳＳＩＤと、無線ＬＡＮ端末自身が保有し設定しているＳＳＩＤとが一致するかを判断する。
【００４９】
ＳＳＩＤが一致していた場合、さらに接続を許可して良いかの認証を行うため、Ａｕｔｈｅｎｔｉｃａｔｉｏｎと呼ばれる暗号化キーを使用した認証のフェーズに移行する（Ｓ３０１）。
【００５０】
次に、認証が成功した場合、無線ＬＡＮ端末は、Ａｓｓｏｃｉａｔｉｏｎ  Ｒｅｑｕｅｓｔと呼ばれる接続要求を無線ＬＡＮアクセスポイントに送信する（Ｓ３０２）。
【００５１】
次に、無線ＬＡＮアクセスポイントは、Ａｓｓｏｓｉａｔｉｏｎ  Ｒｅｓｐｏｎｓｅを無線ＬＡＮ端末に返信する（Ｓ３０３）。これにより、無線ＬＡＮアクセスポイントと無線ＬＡＮ端末との通信接続を確立する。
【００５２】
図３（Ｂ）は、無線ＬＡＮアクセスポイントと無線ＬＡＮ端末との接続をアクティブスキャン方式で確立する場合の手順を例示するシーケンス図である。
【００５３】
図３（Ｂ）に示すように、アクティブスキャン方式では、無線ＬＡＮ端末からＰｒｏｂｅ  Ｒｅｑｕｅｓｔと呼ばれる信号を送出し、無線ＬＡＮ端末自身が保有しているＳＳＩＤと一致する無線ＬＡＮアクセスポイントがいないか探索する（Ｓ３１０）。これは、パッシブスキャン方式における無線ＬＡＮアクセスポイントからのＢｅａｃｏｎを、無線ＬＡＮ端末が受信できなかった場合などにおいて、通信接続ができるようにしたものである。
【００５４】
次に、無線ＬＡＮアクセスポイントがこのＰｒｏｂｅＲｅｑｕｅｓｔ信号を受信し、その信号に含まれるＳＳＩＤが、無線ＬＡＮアクセスポイント自身のＳＳＩＤと一致した場合、Ｐｒｏｂｅ  Ｒｅｓｐｏｎｓｅ信号を返す（Ｓ３１１）。このやり取りによりお互いの存在を認識することができる。
【００５５】
これ以降の接続手順は、前述のパッシブスキャン方式と同じである。なお、図３（Ａ）及び図３（Ｂ）のシーケンスは、一般的な内容でありこれ以上の詳細な説明は割愛する。このようにして、無線ＬＡＮアクセスポイントと無線ＬＡＮ端末の接続確立は完了する。
【００５６】
次に、実施の形態２において、第１無線ＬＡＮアクセスポイント（既存の無線ＬＡＮアクセスポイント）１００の設定を、第２無線ＬＡＮアクセスポイント（新規の無線ＬＡＮアクセスポイント）２００に引き継ぐ動作手順について説明する。
【００５７】
図４は、実施の形態２にかかる無線ＬＡＮアクセスポイントの引継方法を例示するシーケンス図である。
【００５８】
図４においては、第１無線ＬＡＮアクセスポイント１００は、自身が接続したことのある端末８１の固有識別情報Ｉｄ１を固有識別情報記憶部に記憶している状態である（Ｓ４００）。
【００５９】
次に、ユーザが端末８１を操作して、第２無線ＬＡＮアクセスポイント２００に対して設定情報を引継ぐ契機となる情報を、例えばスイッチ押下またはボタン押下などの入力情報を通知する（Ｓ４０１）。
【００６０】
次に、第２無線ＬＡＮアクセスポイント２００は、この通知を受け取ると、第１無線ＬＡＮアクセスポイント１００からの情報を取得するため、制御部２０２によりクライアントモードＣｍに切り替わり移行する（Ｓ４０２）。
【００６１】
次に、制御部２０２は、無線ＬＡＮインターフェース部２０１を通して、第１無線ＬＡＮアクセスポイント１００が保有する通信設定情報Ｊ１を要求する（Ｓ４０３）。
【００６２】
次に、ユーザが端末８１を操作し、例えばボタン押下などの入力情報によって、第１無線ＬＡＮアクセスポイント１００に対して、第１無線ＬＡＮアクセスポイント１００から第２無線ＬＡＮアクセスポイント２００に通信設定情報Ｊ１を送信するよう通知する（Ｓ４０４）。
【００６３】
次に、第１無線ＬＡＮアクセスポイント１００は、この通知を受け取ると、通信設定情報Ｊ１を第２無線ＬＡＮアクセスポイント２００に送信し伝達する（Ｓ４０５）。
【００６４】
次に、第２無線ＬＡＮアクセスポイント２００は、通信設定情報Ｊ１を受け取ると、通信設定情報Ｊ１を第１通信設定情報記憶部２０５ａ１に記憶する（Ｓ４０６）。
【００６５】
次に、第１無線ＬＡＮアクセスポイント１００に記憶されている端末８１の固有識別情報Ｉｄ１を、第１無線ＬＡＮアクセスポイント１００から第２無線ＬＡＮアクセスポイント２００に送信し伝達する（Ｓ４０７）。
【００６６】
次に、第２無線ＬＡＮアクセスポイント２００は、この固有識別情報Ｉｄ１を固有識別情報記憶部２０５ｂに記憶する（Ｓ４０８）。
【００６７】
次に、第２無線ＬＡＮアクセスポイント２００は、端末８１からの情報を取得するため、制御部２０２によりクライアントモードＣｍからアクセスポイントモードＡｐに切り替わる（Ｓ４０９）。これにより、通信設定情報と固有識別情報の引継が完了する。
【００６８】
続いて、通信設定情報Ｊ１と固有識別情報Ｉｄ１の引き継ぎが完了した後の、無線ＬＡＮアクセスポイントと端末の接続確立の手順について説明する。
【００６９】
先ず、パッシブスキャン方式での接続確立の手順について図５を用いて説明する。  
図５は、実施の形態２にかかる無線ＬＡＮアクセスポイントと端末のパッシブスキャン方式での接続確立の手順を例示するシーケンス図である。
【００７０】
図５においては、第２無線ＬＡＮアクセスポイント（新規の無線ＬＡＮアクセスポイント）２００と第１無線ＬＡＮアクセスポイント（既存の無線ＬＡＮアクセスポイント）１００の動作を別々に表している。
【００７１】
なお、第１無線ＬＡＮアクセスポイント１００と第２無線ＬＡＮアクセスポイント２００の動作は、後述のＳ５０３a、Ｓ５０３ｂまでは同じなので、無線ＬＡＮアクセスポイントとして説明する。
【００７２】
図５に示すように、無線ＬＡＮアクセスポイントは、Ｂｅａｃｏｎを一定間隔でブロードキャストしている状態である（Ｓ５００ａ、Ｓ５００ｂ）。
【００７３】
次に、端末８１は、Ｂｅａｃｏｎをもとに、端末８１自身のＳＳＩＤと一致しているかを確認する。一致していた場合、Ａｕｔｈｅｎｔｉｃａｔｉｏｎを無線ＬＡＮアクセスポイントに送信する（Ｓ５０１ａ、Ｓ５０１ｂ）。
【００７４】
次に、無線ＬＡＮアクセスポイントは、端末８１からＡｕｔｈｅｎｔｉｃａｔｉｏｎを受け取ると、このＡｕｔｈｅｎｔｉｃａｔｉｏｎ信号に含まれる固有識別情報Ｉｄ２を取得して固有識別情報Ｉｄ２内の送信元のＭＡＣアドレスを取得する（Ｓ５０２ａ、Ｓ５０２ｂ）。
【００７５】
次に、固有識別情報Ｉｄ２内の送信元のＭＡＣアドレスと、無線ＬＡＮアクセスポイントの固有識別情報記憶部、例えば第２無線ＬＡＮアクセスポイントでは固有識別情報記憶部２０５ｂに記憶されている固有識別情報Ｉｄ１内のＭＡＣアドレスとを照合する（Ｓ５０３ａ、Ｓ５０３ｂ）。
【００７６】
固有識別情報のＭＡＣアドレスの照合が一致していると判定した場合、この信号の送信元の端末は引き継いだ端末であるということが、第１無線ＬＡＮアクセスポイント１００、第２無線ＬＡＮアクセスポイント２００の双方で識別できる。
【００７７】
そして、固有識別情報Ｉｄ１は、第２無線ＬＡＮアクセスポイント（新規の無線ＬＡＮアクセスポイント）２００に引継がれた情報であると判断できる。このため、判定が一致した固有識別情報のＭＡＣアドレスを有する端末に対するＡｕｔｈｅｎｔｉｃａｔｉｏｎは、第２無線ＬＡＮアクセスポイント２００が返信する。判定が一致した固有識別情報のＭＡＣアドレスを有する端末と第２無線ＬＡＮアクセスポイント２００との間の通信を、通信設定情報Ｊ１に基づいて確立する（Ｓ５０４ｂ）。
【００７８】
一方、この端末と第１無線ＬＡＮアクセスポイント（既存の無線ＬＡＮアクセスポイント）１００との間の通信は、それ以降の接続手順を行わない（Ｓ５０４ａ）。すなわち、この端末と第１無線ＬＡＮアクセスポイント１００との間の通信は行わない。
【００７９】
また、固有識別情報の照合が不一致であると判定した場合、この信号の送信元の端末は、新しく第１無線ＬＡＮアクセスポイントへ接続しようとしている端末であると判断できる。このため、判定が不一致である、例えばＭＡＣアドレス等の固有識別情報を有する端末に対するＡｕｔｈｅｎｔｉｃａｔｉｏｎは、第１無線ＬＡＮアクセスポイント１００が返信する。この端末と第１無線ＬＡＮアクセスポイント１００との間の通信を、通信設定情報Ｊ１に基づいて確立する（Ｓ５０５ａ）。
【００８０】
一方、この端末と第２無線ＬＡＮアクセスポイント（新規の無線ＬＡＮアクセスポイント）２００との間の通信は、それ以降の接続手順を行わない（Ｓ５０５ｂ）。
【００８１】
なお、無線ＬＡＮアクセスポイントから端末へＡｕｔｈｅｎｔｉｃａｔｉｏｎを返信した後の通信の確立手順は、前述したとおりの手順のため、説明は省略する。
【００８２】
次に、アクティブスキャン方式での接続確立の手順について図６を用いて説明する。  
図６は、実施の形態２にかかる無線ＬＡＮアクセスポイントと端末のアクティブスキャン方式での接続確立の手順を例示するシーケンス図である。
【００８３】
図６においても図５と同様に、第２無線ＬＡＮアクセスポイント（新規の無線ＬＡＮアクセスポイント）２００と第１無線ＬＡＮアクセスポイント（既存の無線ＬＡＮアクセスポイント）１００の動作を別々に表している。
【００８４】
なお、第１無線ＬＡＮアクセスポイント１００と第２無線ＬＡＮアクセスポイント２００の動作は、後述のＳ６０３ａ、Ｓ６０３ｂまでは同じなので、無線ＬＡＮアクセスポイントとして説明する。
【００８５】
図６に示すように、アクティブスキャン方式では端末８１が無線ＬＡＮアクセスポイントにＰｒｏｂｅ  ＲｅｑｕｅｓｔをＢｒｏａｄｃａｓｔ信号として送信する（Ｓ６００ａ、Ｓ６００ｂ）。Ｐｒｏｂｅ  Ｒｅｑｕｅｓｔは、端末８１が保有する端末通信設定情報ＭＪを含む。端末通信設定情報ＭＪは、例えば、ＳＳＩＤ、認証方式、暗号化方式及び暗号化キーのいずれかの情報を含む。
【００８６】
次に、このＰｒｏｂｅ  Ｒｒｅｑｕｅｓｔを受信した無線ＬＡＮアクセスポイントは、Ｐｒｏｂｅ  Ｒｅｑｕｅｓｔに含まれるＳＳＩＤが、無線ＬＡＮアクセスポイント自身のＳＳＩＤと一致しているかを確認する（Ｓ６０１ａ、Ｓ６０１ｂ）。
【００８７】
ＳＳＩＤが一致した場合、無線ＬＡＮアクセスポイントは、Ｐｒｏｂｅ  Ｒｅｑｕｅｓｔに含まれる固有識別情報Ｉｄ２内の送信元のＭＡＣアドレスを取得する（Ｓ６０２ａ、Ｓ６０２ｂ）
【００８８】
次に、固有識別情報Ｉｄ２内の送信元のＭＡＣアドレスと、無線ＬＡＮアクセスポイント自身の固有識別情報記憶部に記憶または保存されている固有識別情報Ｉｄ１内のＭＡＣアドレスとを照合する（Ｓ６０３ａ、Ｓ６０３ｂ）。
【００８９】
この照合が一致した場合、第２無線ＬＡＮアクセスポイント２００は、Ｐｒｏｂｅ  Ｒｅｓｐｏｎｓｅ信号を端末８１に返信する（Ｓ６０４ｂ）。一方、第１無線ＬＡＮアクセスポイント１００は、それ以降の接続手順を行わない（Ｓ６０４ａ）。
【００９０】
照合が不一致だった場合、第１無線ＬＡＮアクセスポイント１００は、端末８１へＰｒｏｂｅ  Ｒｅｑｕｅｓｔを返信する（Ｓ６０５ａ）。一方、第２無線ＬＡＮアクセスポイント２００は、それ以降の接続手順を行わない（Ｓ６０５ｂ）。
【００９１】
無線ＬＡＮアクセスポイントから端末へＰｒｏｂｅ  Ｒｅｑｕｅｓｔを返信した後の手順は、前述したとおりの手順のため、説明は省略する。
【００９２】
通信設定情報を引き継いだ後、固有識別情報Ｉｄ１とＩｄ２とを照合し、端末がどの無線ＬＡＮアクセスポイントと接続すればよいかを判断する。これにより、端末が、新規又は既存のどちらの無線ＬＡＮアクセスポイントにも接続可能となってしまうという通信の不具合の発生を防止する。
【００９３】
このような手順により、無線ＬＡＮアクセスポイントを置き換えする際、既存の無線ＬＡＮアクセスポイントと新規の無線ＬＡＮアクセスポイントの設定が同じになっても、端末の接続先を固定でき、通信の不具合が発生する可能性を低減できる。
【００９４】
その結果、通信装置の置き換えの際、通信を引き継ぎ可能な通信システム、通信装置及び通信方法を提供することができる。
【００９５】
なお、既存の無線ＬＡＮアクセスポイント（第１無線ＬＡＮアクセスポイント）１００と新規の無線ＬＡＮアクセスポイント（第２無線ＬＡＮアクセスポイント）２００との間の距離が離れている場合、無線ＬＡＮアクセスポイントは、固有識別情報Ｉｄによる端末の接続可否を判断せず接続可としても良い。
【００９６】
例えば、無線ＬＡＮアクセスポイントは定期的にその他の無線ＬＡＮアクセスポイントが送信しているＢｅａｃｏｎを監視し、自身と同じＳＳＩＤを持つ無線ＬＡＮアクセスポイントがないと判断できた場合、固有識別情報Ｉｄによる接続判断の処理を停止するとしても良い。
【００９７】
また、実施の形態２においては、無線ＬＡＮアクセスポイントを例に挙げて説明したが、これには限定されない。中継器やモバイルルータなどでも良い。
【００９８】
［実施の形態３］  
次に、実施の形態３について説明する。  
図７は、実施の形態３にかかる通信システムを例示するブロック図である。
【００９９】
図７に示すように、第２無線ＬＡＮアクセスポイント２００は、第１無線ＬＡＮアクセスポイント１００に接続していた端末８１に加えて、新しく第２無線ＬＡＮアクセスポイント２００と接続を確立したい端末９１と接続することがある。
【０１００】
この場合、端末９１の固有識別情報を照合すると不一致となる。第２無線ＬＡＮアクセスポイント２００は、初期の段階で予め設定され保有された通信設定情報Ｊ１とは別の通信設定情報Ｊ２に基づいて、不一致である固有識別情報を保有する端末９１との間で通信の接続を確立して通信を行う。
【０１０１】
すなわち、第２無線ＬＡＮアクセスポイント（新規の無線ＬＡＮアクセスポイント）２００は、引継処理後に新たに通信を実行する場合に、周辺の端末装置より固有識別情報Ｉｄ２を取得するとともに、取得した固有識別情報Ｉｄ２と、引継情報に含まれる固有識別情報Ｉｄ１とを比較する。この比較の結果が不一致である固有識別情報を保有する端末装置との間の通信を、引継情報に含まれる通信設定情報Ｊ１とは別の通信設定情報Ｊ２に基づいて通信を確立する。
【０１０２】
このようにして、パッシブスキャン方式、アクティブスキャン方式ともに通信の接続確立手順の中で、 第１無線ＬＡＮアクセスポイント１００及び第２無線ＬＡＮアクセスポイント２００のそれぞれが、端末との接続手順を続行するかを判断する。このため、第１無線ＬＡＮアクセスポイント１００に接続していた端末を、第２無線ＬＡＮアクセスポイント２００に接続させることが可能となる。
【０１０３】
このように、実施の形態３によっても、通信装置の置き換えの際、通信を引き継ぎ可能な通信システム、通信装置及び通信方法を提供することができる。
［実施の形態４］
次に、実施の形態４について説明する。  
図８は、実施の形態４にかかる無線ＬＡＮアクセスポイントの引継方法を例示するシーケンス図である。
【０１０４】
図８に示すように、実施の形態４においては、端末８１に、引き継ぎの機能を持たせる。
【０１０５】
例えば、スマートフォン等の端末８１に、引き継ぎ手段のアプリケーションをインストールする（Ｓ８００）。
【０１０６】
第１無線ＬＡＮアクセスポイント１００は、自身が接続したことのある端末８１の固有識別情報Ｉｄ１を記憶する（Ｓ８０１）。
【０１０７】
次に、端末８１から第１無線ＬＡＮアクセスポイント１００に、第１無線ＬＡＮアクセスポイント１００が保有する通信設定情報Ｊ１と、端末８１の固有識別情報Ｉｄ１を要求する（Ｓ８０２）。
【０１０８】
次に、第１無線ＬＡＮアクセスポイント１００から端末８１に、通信設定情報Ｊ１と固有識別情報Ｉｄ１を送信して渡す（Ｓ８０３）。
【０１０９】
次に、第２無線ＬＡＮアクセスポイント２００と端末８１で初期設定を行い、第２無線ＬＡＮアクセスポイント２００が端末８１の固有識別情報Ｉｄ２を端末８１から取得して記憶する（Ｓ８０４）と、
【０１１０】
次に、端末８１から第２無線ＬＡＮアクセスポイント２００に、第１無線ＬAＮアクセスポイント１００が保有する通信設定情報Ｊ１と、第１無線ＬＡＮアクセスポイント１００が接続したことのある端末８１の固有識別情報Ｉｄ１とを渡す（Ｓ８０５）。
【０１１１】
次に、第２無線ＬＡＮアクセスポイント２００は、通信設定情報Ｊ１と固有識別情報Ｉｄ１を記憶する（Ｓ８０６）。
【０１１２】
これ以降は、例えば、実施の形態２と同じなので省略する。このように、実施の形態４によっても、通信装置の置き換えの際、通信を引き継ぎ可能な通信システム、通信装置及び通信方法を提供することができる。
【０１１３】
なお、本発明は上記実施の形態に限られたものではなく、趣旨を逸脱しない範囲で適宜変更することが可能である。
【０１１４】
上記の実施形態の一部又は全部は、以下の付記のようにも記載されうるが、以下には限られない。
【０１１５】
（付記１）既存の通信装置から新規の通信装置に対して、既存の通信装置の通信設定情報と、当該既存の通信装置が過去に接続した端末装置の固有識別情報とを含む引継情報とを送信することにより引継処理を実行する通信システムであって、前記既存の通信装置は、前記引継処理後に新たに通信を実行する場合に、周辺の端末装置より固有識別情報を取得するとともに、当該取得した固有識別情報と、前記引継処理前に接続した端末装置の固有識別情報とを比較し、比較の結果、固有識別情報が一致する端末装置との通信を制限し、前記新規の通信装置は、前記引継処理後に新たに通信を実行する場合に、周辺の端末装置より固有識別情報を取得するとともに、当該取得した固有識別情報と、前記引継情報に含まれる固有識別情報とを比較し、比較の結果、固有識別情報が一致する端末装置との通信については、制限することなく、実行する通信システム。
（付記２）前記新規の通信装置は、前記比較の結果が不一致である固有識別情報を保有する端末装置との間の通信を、引継情報に含まれる通信設定情報とは別の通信設定情報に基づいて確立する、付記１に記載の通信システム。
（付記３）前記既存の通信装置及び前記新規の通信装置は、ユーザの入力に応じて、前記引継処理の実行を開始する、付記１又は２記載の通信システム。
（付記４）前記新規の通信装置は、前記既存の通信装置から引継情報を受信し、所定の記憶手段に対する格納処理が完了したことに応じて、前記引継処理を終了し、前記端末装置との通信が可能な状態に移行する、付記１〜３いずれかに記載の通信システム。
（付記５）他の通信装置との間で引継処理を実行可能な通信装置であって、前記引継処理によって他の通信装置に対して、自身の通信設定情報と、自身が過去に接続した端末装置の固有識別情報とを含む引継情報とを送信することにより、引継処理を実行した場合には、その引継処理後に新たに通信を実行する場合に、周辺の端末装置より固有識別情報を取得するとともに、当該取得した固有識別情報と、前記引継処理前に接続した端末装置の固有識別情報とを比較し、比較の結果、固有識別情報が一致する端末装置との通信を制限し、前記引継処理によって、他の通信装置から他の通信装置の通信設定情報と、他の通信装置が過去に接続した端末装置の固有識別情報とを含む引継情報とを受信することにより、引継処理を実行した場合には、その引継処理後に新たに通信を実行する場合に、周辺の端末装置より固有識別情報を取得するとともに、当該取得した固有識別情報と、前記引継情報に含まれる固有識別情報とを比較し、比較の結果、固有識別情報が一致する端末装置との通信については、制限することなく、実行する通信装置。
（付記６）前記引継処理によって、他の通信装置から他の通信装置の通信設定情報と、他の通信装置が過去に接続した端末装置の固有識別情報とを含む引継情報とを受信することにより、引継処理を実行した場合に、前記比較の結果が不一致である固有識別情報を保有する端末装置との間の通信を、引継情報に含まれる通信設定情報とは別の通信設定情報に基づいて確立する、付記５に記載の通信装置。
（付記７）前記通信装置は、ユーザの入力に応じて、前記引継処理の実行を開始する、付記５又は６記載の通信装置。
（付記８）前記通信装置は、前記他の通信装置から引継情報を受信し、所定の記憶手段に対する格納処理が完了したことに応じて、前記引継処理を終了し、前記端末装置との通信が可能な状態に移行する、付記５〜７いずれかに記載の通信装置。
（付記９）既存の通信装置から新規の通信装置に対して、既存の通信装置の通信設定情報と、当該既存の通信装置が過去に接続した端末装置の固有識別情報とを含む引継情報とを送信することにより引継処理を実行する通信方法であって、前記既存の通信装置は、前記引継処理後に新たに通信を実行する場合に、周辺の端末装置より固有識別情報を取得するステップと、当該取得した固有識別情報と、前記引継処理前に接続した端末装置の固有識別情報とを比較するステップと、比較の結果、固有識別情報が一致する端末装置との通信を制限するステップとを実行し、前記新規の通信装置は、前記引継処理後に新たに通信を実行する場合に、周辺の端末装置より固有識別情報を取得するステップと、当該取得した固有識別情報と、前記引継情報に含まれる固有識別情報とを比較するステップと、比較の結果、固有識別情報が一致する端末装置との通信については、制限することなく、実行するステップとを実行する通信方法。
（付記１０）前記新規の通信装置は、前記比較の結果が不一致である固有識別情報を保有する端末装置との間の通信を、引継情報に含まれる通信設定情報とは別の通信設定情報に基づいて確立する、付記９に記載の通信方法。
（付記１１）前記既存の通信装置及び前記新規の通信装置は、ユーザの入力に応じて、前記引継処理の実行を開始する、付記９又は１０記載の通信方法。
（付記１２）前記既存の通信装置は、前記新規の通信装置から引継情報を受信し、所定の記憶手段に対する格納処理が完了したことに応じて、前記引継処理を終了し、前記端末装置との通信が可能な状態に移行する、付記９〜１１いずれかに記載の通信方法。
【符号の説明】
【０１１６】
８１〜８３、９１…端末  １００…第１無線ＬＡＮアクセスポイント  ２００…第２無線ＬＡＮアクセスポイント  ２０１…無線ＬＡＮインターフェース部 ２０２…制御部  ２０５…記憶部  ２０５ａ…通信設定情報記憶部  ２０５ａ１…第１通信設定情報記憶部  ２０５ａ２…第２通信設定情報記憶部  ２０５ｂ…固有識別情報記憶部  Ａｐ…アクセスポイントモード  Ｃｍ…クライアントモード  Ｊ、Ｊ１、Ｊ２…通信設定情報  Ｉｄ、Ｉｄ１、Ｉｄ２…固有識別情報
【図１】
0006366113.tif 000002
【図２】
0006366113.tif 000003
【図３】
0006366113.tif 000004
【図４】
0006366113.tif 000005
【図５】
0006366113.tif 000006
【図６】
0006366113.tif 000007
【図７】
0006366113.tif 000008
【図８】
0006366113.tif 000009